(57)【要約】【課題】簡単な構造のカット刃で皮膚を傷つけることなく耳や鼻内の毛を切断し、かつ、耳や鼻内を清潔に保つ毛のカット具を提供する。【解決手段】円周にそって設けた毛が入り得る溝６を長さ方向に複数本等配して形成した複数の環状体７で円筒形状としたプロテクター２と、プロテクター２とほぼ同じ長さを有してプロテクター２の中心に位置する棒状保持部材８の長さ方向両側に設けた連結具９を介してカット刃１０を設けたカット部３と、円形鍔状連結板１２を介して保持部材８と同心状に設けた柄部４とからなり、カット部３はプロテクター２内に収容可能とする。または柄部４を省略してカット部３全体をプロテクター２内に収容する。  プロテクター２を耳や鼻内に入れ、カット刃１０の刃先１１方向に回転あるいは反転させることで毛を切り取ることができる。【選択図】図１
2005218682.tif 000002
【特許請求の範囲】
【請求項１】
円周にそって設けた毛が入り得る溝６を長さ方向に複数本等配して形成した複数の環状体７で円筒形状としたプロテクター２と、プロテクター２とほぼ同じ長さを有してプロテクター２の中心に位置する棒状保持部材８の長さ方向両側に設けた連結具９を介してカット刃１０を設けたカット部３と、円形鍔状連結板１２を介して保持部材８と同心状に設けた柄部４とからなり、カット部３はプロテクター２内に収容可能としたことを特徴とする毛のカット具。
【請求項２】
長形円筒体の先端部に円周にそって毛が入り得る溝６を長さ方向に複数本等配したプロテクター２と、プロテクター２の中心に位置する棒状保持部材８の先端部両側に設けた連結具９を介してカット刃１０を設け、保持部材８の他端には連結板１２を設けたカット部３とからなり、カット部３はプロテクター２内に収容可能としたことを特徴とする毛のカット具。
【請求項３】
カット刃１０の刃先１１は、長さ方向片側に形成し、かつ、同じ方向に向いたものである請求項１、２に記載する毛のカット具。
【請求項４】
カット刃１０の刃先１１は、長さ方向両側に形成したものである請求項１、２に記載する毛のカット具。
【請求項５】
カット刃１０は、連結具９に固定したものである請求項１、２に記載する毛のカット具。
【請求項６】
カット刃１０は、連結具９に着脱可能としたものである請求項１、２に記載する毛のカット具。
【請求項７】
連結板９は、プロテクター２の端部の環状体７内に固定したものである請求項１、２に記載する毛のカット具。
【請求項８】
連結板９は、プロテクター２の端部の環状体７内に着脱可能としたものである請求項１、２に記載する毛のカット具。
【発明の詳細な説明】
【技術分野】
【０００１】
本発明は毛のカット具に関し、特に、耳孔や鼻孔内の毛を切り取るあるいは剃り取るとともに耳や鼻内を綺麗にすることができる毛のカット具に関するものである。
【背景技術】
【０００２】
耳孔や鼻孔内には毛が生えており、この毛は埃を捕集する効能を有しているので必ずしも無駄なものではない。しかし、長く伸びて外部から見えたり、孔の外に伸び出るのは周りの者に不潔感や不快感を与えるものである。このため定期的にあるいは適当な時期に毛を切り取る必要がある。
【０００３】
鼻毛は、鏡を見ながら小さな鋏を使用して切り取ることができるが、誤って鋏の先端が皮膚に突き刺さり思わぬ怪我をすることがある。また、耳の中は自分で見ることができないので、毛を切り取る場合には他の人に切ってもらう必要がある。しかし、耳の中は狭く、複雑な構造となっているので、鋏を使用して毛を切り取る際、鼓膜や皮膚を傷つける危険性を有していた。
【特許文献１】特開平７−２２２６９４号
【特許文献２】特開平１１−９４９１号
【発明の開示】
【発明が解決しようとする課題】
【０００４】
そこで、従来、特許文献１、２に示すようなカッターが提供されている。このカッターは、毛をカットするための刃を駆動モータによって回転させ、耳や鼻内の毛を切断するものである。
しかし、これらのカッターは種々の部品を使用して複雑な構造であり、高価なものであり、一般家庭で常備するのは不適当、不経済なものである。また、たとえ親子や兄弟が使用したものであっても、刃には切り取った毛や耳垢、鼻くそ等が付着しており、そのまま使用するのは非衛生的である。
【０００５】
本発明は、極めて簡単なカット構造体で耳や鼻の毛を切り取りあるいは剃り取ることができ、皮膚を傷つけることがなく、しかも自分専用で使用し、使い捨て可能な毛のカット具を提供するものである。
【課題を解決するための手段】
【０００６】
上記の目的を達成するために本発明毛のカット具は、円周にそって設けた毛が入り得る溝６を長さ方向に複数本等配して形成した複数の環状体７で円筒形状としたプロテクター２と、プロテクター２とほぼ同じ長さを有してプロテクター２の中心に位置する棒状保持部材８の長さ方向両側に設けた連結具９を介してカット刃１０を設けたカット部３と、円形鍔状連結板１２を介して保持部材８と同心状に設けた柄部４とからなり、カット部３はプロテクター２内に収容可能としたものである。
【０００７】
また、本発明毛のカット具は、長形円筒体の先端部に円周にそって毛が入り得る溝６を長さ方向に複数本等配したプロテクター２と、プロテクター２の中心に位置する棒状保持部材８の先端部両側に設けた連結具９を介してカット刃１０を設け、保持部材８の他端には連結板１２を設けたカット部３とからなり、カット部３はプロテクター２内に収容可能としたものである。
【０００８】
上記する各構成においてカット刃１０の刃先１１は、長さ方向片側に形成し、かつ、同じ方向に向いたものであるか、長さ方向両側に形成したものである。
そして、カット刃１０は、連結具９に固定するか着脱可能としたものであり、また、連結板９は、プロテクター２の端部の環状体７内に固定するか、プロテクター２の端部の環状体７内に着脱可能としたものである。
【発明の効果】
【０００９】
本発明毛のカット具は、円筒体の円周方向に形成した毛の取り入れ溝６を長さ方向に複数本設けたプロテクター２内に、複数枚のカット刃１０を有するカット部３を収容し、複数枚のカット刃１０は刃先１１を同じ方向に向けてプロテクター２を構成する環状体７の接線方向に配設したので、プロテクター２を耳や鼻の中に入れて刃先１１の方向に回転させれば、耳毛や鼻毛は溝６を通してプロテクター２内に入り、カット刃１０の刃先１１で切断することができる。
【００１０】
プロテクター２があることでカット刃１０は、直接、皮膚に接触することがないので傷つけることがない。しかも、プロテクター２の表面が耳孔や鼻孔の皮膚に接触するので、耳垢や鼻くそを掻き取ることになり、毛を切り取ると同時に耳や鼻内を清潔にすることができる。また、皮膚を傷つけることなく耳毛を自分で切り取ることができる。
【００１１】
また、カット刃１０は、長さ方向両側に刃先１１を形成すれば、プロテクター２は一方向に回転させるだけではなく、反転させることで効率よく毛を切り取ることができる。更に、プロテクター２を回転あるいは反転させる柄部４の一端に綿球１８を設けておくことで、切った毛屑や耳垢、鼻くそ等を取り去ることができ、耳や鼻内を綺麗に保つことができ、衛生的である。カット刃１０を着脱できるようにしておけば、切れ味の悪くなったカット刃１０の交換ができる。
【００１２】
長形筒状体としたプロテクター２の先端部に複数の毛の取り入れ溝６を形成し、複数枚のカット刃１０を有するカット部３はプロテクター２内に収容させれば外部に突出するものがないので、全体を小型化でき、取り扱いが容易なものとなる。
更に、プロテクター２とカット部３とを着脱できるようにしておけば、付着している毛屑、耳垢、鼻くそ等の掃除が可能である。
【発明を実施するための最良の形態】
【００１３】
以下、図面に従って本発明の実施の形態を詳細に説明する。
図１、図２は、本発明の一実施形態を示すものであり、カット具本体１は、プロテクター２と、カット部３と柄部４とからなっている。
プロテクター２は、合成樹脂製あるいは金属製の細長い円筒体の周面に２箇所あるいはそれ以上の連結片５を介して耳や鼻内の毛が入り得る溝６を形成し、この溝６は円筒体の長さ方向にそって複数本配設することにより、複数本の環状体７で円筒形状を保持した構造となっている。
【００１４】
このプロテクター６内にカット部３が収容してあり、また、カット部３に柄部４を連結した構成となっている。尚、プロテクター２は、合成樹脂製あるいは金属製の細長い板材からなる環状体７を複数本所定の間隔で同心状に配設して各環状体７間に溝６を形成し、かつ、各環状体７を連結片５を使用して数箇所を連結し、全体として円筒形状に形成したものであってもよい。
【００１５】
カット部３は、図３に詳細を示すように、プロテクター２の中心に位置し、かつ、プロテクター２とほぼ同じ長さを有する丸棒状保持部材８の長さ方向両側に設けた連結具９を介して長形なカット刃１０を固定した構成となっている。カット刃１０は、長さ方向片側に刃先１１を形成したものであり、例えば、公知のカミソリ刃を加工して使用することができる。
【００１６】
合成樹脂製あるいは金属製丸棒状の柄部４と保持部材８とは、円形鍔状の連結板１２を介して同心状に連結してあり、連結板１２は、図２に示すようにプロテクター２を形成する複数の環状体７の片側端部の環状体７ａ内に嵌め入れて固定してある。従って、プロテクター２と柄部４とは連結板１２を介して一体に連結されるとともに保持部材８はプロテクター２の中心に位置することになる。尚、保持部材８や連結板１２は、柄部４と同じ材質を使用することができる。
【００１７】
各カット刃１０は、プロテクター２を形成する環状体７の内面にほぼ接するようになっており、かつ、円周方向に対して接線方向を向くように配設してあり、刃先１１は円周方向にそって同じ方向を向いている。図面においてカット刃１０は、環状体７にそって湾曲させてあるが、平板であってもよく、少なくとも刃先１１が環状体７の内面に接するようになっていればよい。尚、保持部材８は、丸棒の場合が示してあるが、角棒体であってもよい。
【００１８】
図面では拡大して示してあるが、プロテクター２の長さＬは約１５〜２５ｍｍ、外径は約７〜１２ｍｍ、環状体７の板厚は約１〜２ｍｍ位が望ましいが、耳や鼻内に差し込むことができる大きさを有していれば全体の大きさは任意に選ぶことができる。そして、環状体７の数や板幅および環状体７間の溝６間隔等は、プロテクター２の大きさによって選ぶことができるが、溝６の間隔は少なくとも耳毛や鼻毛が入り得る隙間があればよい。
【００１９】
本発明は上記の構成であり、耳や鼻内の毛を切る場合には、柄部４を持ち、プロテクター２の先端側から耳や鼻に入れればよく、毛は溝６間を通してプロテクター２内に入ることになる。各カット刃１０の刃先１１は同じ方向を向いているので、プロテクター２を刃先１１が向く方向（図４のＡ矢印方向）に回転させれば刃先１１で毛を切り取ることができる。
【００２０】
図５は、カット刃１０の他の実施形態を示すものであり、前記の実施形態と同じ部分は同じ符号を使用している。
前記の実施形態においてカット刃１０は、長形板体の長さ方向片側に刃先１１を形成した片刃形状であるが、これに限定する必要はない。図５に示すように、長形板体の長さ方向両側に刃先１１を形成した両刃形状のカット刃１０を使用することができる。このようなカット刃１０を使用すれば、耳や鼻内において反転させて毛を切り取ることができ、操作がしやすくなる。
【００２１】
前記の各実施形態においてカット刃１０は、保持部材８に付設した連結具９に固定してある。
図６はカット刃１０の更に他の実施形態を示すものである。この実施形態においては、カット刃１０と連結具９とは着脱可能としたことに特徴を有している。即ち、カット刃１０の内側に長さ方向にそって差込片１３を突設し、連結具９には差込片１３を密に嵌め入れることのできる差込溝１４を形成したことに特徴を有している。
【００２２】
カット刃１０の差込片１３は、プロテクター２の開口側から差込溝１４内に入れ、押し込むことでセットでき、また、引き抜くことで取り外すことができる。このようにカット刃１０を着脱可能としたことにより、刃先１１の切れ味が悪くなった時、カット刃１０を取り替えることができる。図面では両刃の場合が示してあるが、片刃の場合も同じである。
【００２３】
図７は、プロテクター２と固定板１２との連結状態の他の実施形態を示すものであり、前記の各実施形態と同じ部分は同じ符号を使用している。
この実施形態では連結板１２はプロテクター２に対して着脱可能としたことに特徴を有している。即ち、連結板１２と、プロテクター２を形成する環状体７の端部に位置する環状体７ａとを、例えば、ネジ込み構造１５としたことに特徴を有している。
【００２４】
このようにネジ込み構造１５で着脱できるようにしたのでカット部３をプロテクター２から取り外すことができ、付着している毛屑を取り除くことができる。特に、毛だけではなく耳垢や鼻くそもプロテクター２の中に取り込まれることがあり、これらを取り除き、掃除をすることができる。
【００２５】
また、カット部３をプロテクター２から取り出すことができるので、カット刃１０の交換がしやすくなる。更に、図８に示すように、カット刃１０の内側に長さ方向にそって複数の差込突起１６を設け、連結具９には差込突起１６が密に入る差込孔１７を形成することで、側面からカット刃１０の取り付け、取り外しを簡単に行うことができる。
【００２６】
上記の各実施形態におけるカット具本体１は、耳や鼻内の毛を切るだけである。しかし、切断された小さな毛屑が耳や鼻の中に残っていることがある。このため、図２に鎖線で示すように柄部４の一端に綿球１８を付けることにより、綿球１８で毛屑や耳垢、鼻くそ等を取り除き、耳や鼻内を綺麗にすることができる。綿球１８としては従来の綿棒に使用するものが使用可能である。
【００２７】
更に、図示していないが各環状体７の表面にやわらかい布、例えば、ガーゼや綿棒で使用する綿球と同じ材質の布を巻き付けておけば、毛を切り取ると同時に耳垢や鼻くその掃除ができる。また、プロテクター２の先端は、開放状態であるが、キャップを取り付けて閉じるようにしてもよい。更に、プロテクター２は両端が開口した状態が示してあるが、先端側を円形状または円錐状の頭部に形成して耳や鼻内に差し込みやすくしてもよい。
【００２８】
上記する各実施形態では、カット刃１０は対称に２枚設けた場合である。しかし、保持部材８に十字状に連結具９を設け、各連結具９にカット刃１０を取り付けることで４枚のカット刃１０を設置することが可能である。この場合のカット刃１０は、片刃、両刃いずれでもよい。
【００２９】
図９、図１０は、本発明の更に他の実施形態を示すものであり、前記の実施形態と同じ部分は同じ符号を使用している。
この実施形態におけるカット具本体１は、長形円筒形状に形成したプロテクター２と、このプロテクター２内に入り得るカット部３とから成っている。
プロテクター２の先端側には、円周方向にそって連結片５を介してに毛の取り入れ溝６が形成してあり、この取り入れ溝６はプロテクター２の長さ方向にそって所定の間隔で複数本形成する。
【００３０】
また、カット部３は、棒状保持部材８の先端部において両側に設けた連結具９を介してカット刃１０を取り付け、保持部材８の他端には連結板１２を取り付けたものである。
プロテクター２の外径は前記した実施形態の場合と同じでよいが、端部を指で持って溝６部分を耳や鼻内に入れるため、長さは前記したプロテクター２よりも長く形成しておくことが望ましい。
【００３１】
このような構成においてカット部３をプロテクター２内に入れ、連結板１２をプロテクター２内に嵌め入れて固定すればよく、カット刃１０は複数本の取り入れ溝６の内側に位置するので、プロテクター２を持って先端側を耳や鼻内に入れ、カット刃１０の刃先１１方向に回転させる。耳や鼻内の毛は、取り入れ溝６を通してプロテクター２内に入るので、毛を切り取ることができる。
【００３２】
この実施形態におけるカット刃１０は、片刃、両刃いずれであってもよく、２枚以上使用することができる。また、カット刃１０は、連結具９に固定してもよく、前記のように着脱可能であってもよい。更に、プロテクター２と連結板１２とは固定状態であるか、前記のようにネジ込み式１５で着脱可能としてもよい。材質を含めて各構成部分は前記の実施形態と同じ構造を使用可能である。カット部３全体をプロテクター２内に入れることで全体形状を小型化でき、扱いやすくなる。図９では、プロテクター２は両側を開口した円筒体であるが、図１１に示すように、先端部は円形頭部として閉じてもよい。
【産業上の利用可能性】
【００３３】
本発明毛のカット具は、身体の衛生に関係するものであるから、医療器具メーカーや衛生器材メーカー等が生産可能である。消費材であるので、大量に生産して廉価に提供でき、一般商店において商品購入者に対するサービス品として提供可能である。また、カミソリ刃のようなカット刃１０を使用することで刃物メーカーの受注が増えることになる。
【図面の簡単な説明】
【００３４】
【図１】本発明カット具の一実施形態を示す斜視図である。
【図２】図１に示すカット具の側面図である。
【図３】カット部と柄部を示す斜視図である。
【図４】図１に示すカット具の正面図である。
【図５】カット刃の他の実施形態を示す正面図である。
【図６】カット刃と連結具の連結状態を示す正面図である。
【図７】プロテクターと連結板との連結状態を示す正面図である。
【図８】カット刃と連結具の他の連結状態を示す断面図である。
【図９】プロテクターとカット部との他の実施形態を示す分解図である。
【図１０】プロテクター内にカット部を収容した状態の断面図である。
【図１１】プロテクターの他の形状を示す側面図である。
【符号の説明】
【００３５】
１  カット具本体
２  プロテクター
３  カット部
４  柄部
５  連結片
６  毛の取り入れ溝
７  環状体
８  保持部材
９  連結具
１０  カット刃
１１  刃先
１２  連結板
１３  差込片
１４  差込溝
１５  ネジ込み構造
１６  差込突起
１７  差込孔
１８  綿球
【図１】
2005218682.tif 000003
【図２】
2005218682.tif 000004
【図３】
2005218682.tif 000005
【図４】
2005218682.tif 000006
【図５】
2005218682.tif 000007
【図６】
2005218682.tif 000008
【図７】
2005218682.tif 000009
【図８】
2005218682.tif 000010
【図９】
2005218682.tif 000011
【図１０】
2005218682.tif 000012
【図１１】
2005218682.tif 000013